(57)【特許請求の範囲】
【請求項１】
一端が外部部材と接続されて、全体を吊り下げ支持する支持部材と、
その中心が前記支持部材と連結され、前記支持部材で吊り下げ支持された状態で水平方向に延びる第１のアーム部材と、
前記支持部材で吊り下げ支持された状態で前記水平方向に延び、その中心が鉛直方向を軸方向とする回転軸を介して前記第１のアーム部材の中心と前記軸方向に連結された第２のアーム部材と、
前記第１、第２のアーム部材の両端に形成されたフック部材と、
を備え、
前記フック部材は、
前記第１、第２のアーム部材の両端から下方に延びた後、前記各両端を通る円の円周方向に折れ曲げられているズボン干し用物干しハンガー。
【請求項２】
前記フック部材の先端が、上方に折り曲げられている、
ことを特徴とする請求項１に記載のズボン干し用物干しハンガー。
【請求項３】
前記フック部材は、
前記支持部材で吊り下げ支持された状態で、前記第１、第２のアーム部材の両端に対して鉛直軸方向回りに回転可能に連結されている、
ことを特徴とする請求項１に記載のズボン干し用物干しハンガー。
【請求項４】
前記第２のアーム部材は、
前記第１のアーム部材の向きと同じ向きにしても、前記第１のアーム部材と干渉することのないように、前記第１のアーム部材よりも短く形成されている、
ことを特徴とする請求項１乃至３のいずれか一項に記載のズボン干し用物干しハンガー。
【発明の詳細な説明】
【技術分野】
【０００１】  本発明は、ズボンを干すために用いられるズボン干しハンガーに関する。
【背景技術】
【０００２】  従来より、ズボンをはやく乾かすためのハンガーが提案されている。例えば、洗濯物を広げ、風通しを良くし、乾きやすくするハンガーとして、「ハンガー本体に、中心部で一体に結合するアームで形成され、アームの先端部には、ズボンなどのベルト通しに挿入することができるようにフックが備わっており、ズボン等の洗濯物が筒状に形成され開口するハンガー」がある（例えば、特許文献１参照）。また、「通常のハンガーとして使え、ハンガー部材に水平方向に回転もしくは回転自在に取り付けた洗濯物を保持することができるアーム部材を備えたアームハンガー」がある（例えば、特許文献２参照）。
【先行技術文献】
【特許文献】
【０００３】
【特許文献１】特開２００７−１３５７１３号公報
【特許文献２】特開２００５−３４５７９号公報
【発明の概要】
【発明が解決しようとする課題】
【０００４】  ところが、上記特許文献１に開示されたハンガーでは、アームの幅の調節ができないのでズボンのサイズが小さすぎると、すべてのフック部材にベルト通しを引っ掛けることができなくなって、吊り下げたズボンを十分に広げることができなくなり、乾きが遅くなる場合がある。また、ズボンのサイズが大きすぎると、吊り下げたズボンを十分に広げることができなくなり、乾きが遅くなる場合がある。【０００５】  また、上記特許文献２に開示されたハンガーでは、アーム部にズボンを掛けても外れやすい。また、ピンチを一つずつ取りつけて吊るすには手間がかかる。【０００６】  本発明は、上記実情に鑑みてなされたものであり、ズボンを干すときの負担を軽くするとともにズボンの落下を防ぎ、ズボンのサイズに関係なく、風通しを良くして乾きやすくすることができるズボン干し用物干しハンガーを提供することを目的とする。
【課題を解決するための手段】
【０００７】  上記目的を達成するために、本発明のズボン干し用物干しハンガーは、
一端が外部部材と接続されて、全体を吊り下げ支持する支持部材と、
その中心が前記支持部材と連結され、前記支持部材で吊り下げ支持された状態で水平方向に延びる第１のアーム部材と、
前記支持部材で吊り下げ支持された状態で前記水平方向に延び、その中心が鉛直方向を軸方向とする回転軸を介して前記第１のアーム部材の中心と前記軸方向に連結された第２のアーム部材と、
前記第１、第２のアーム部材の両端に形成されたフック部材と、
を備え、
前記フック部材は、
前記第１、第２のアーム部材の両端から下方に延びた後、前記各両端を通る円の円周方向に折れ曲げられている。【０００９】  前記フック部材の先端が、上方に折り曲げられている、
こととしてもよい。【００１０】  前記フック部材は、
前記支持部材で吊り下げ支持された状態で、前記第１、第２のアーム部材の両端に対して鉛直軸方向回りに回転可能に連結されている、【００１１】  また、前記第２のアーム部材は、
前記第１のアーム部材の向きと同じ向きにしても、前記第１のアーム部材と干渉することのないように、前記第１のアーム部材よりも短く形成されている、
こととしてもよい。
【発明の効果】
【００１２】  本発明によれば、水平面内で互いに回転可能な第１、第２のアーム部材の両端に形成されたフック部材にズボンのベルト通しを引っかけて吊した状態でズボンを干すことができるため、ズボン内部の風通しを良くして、ズボンを乾き易くすることができる。【００１３】  本発明では、第１、第２のアーム部材の向きを調整して、様々なサイズのズボンを風通し良く干すことができる。【００１４】  また、本発明では、ズボンのベルト通しをフックに引っかけることによりズボンを干しているので、落下のおそれはないうえ、ズボンを干すときの手間もかからない。
【図面の簡単な説明】
【００１５】
【図１】本発明の実施形態に係るズボン干し用物干しハンガーの構成を示す斜視図である。
【図２】図２（Ａ）及び図２（Ｂ）は、図１のズボン干し用物干しハンガーの側面図である。
【図３】図２（Ａ）のズボン干し用物干しハンガーのＡ−Ａ断面図である。
【図４】ズボンを干した状態を示す斜視図である。
【図５】図５（Ａ）及び図５（Ｂ）は、サイズの異なるズボンを干した状態を示す上面図である。
【図６】図６（Ａ）及び図６（Ｂ）は、ズボン干し用物干しハンガーの変形例の側面図である。
【図７】ズボン干し用物干しハンガーの変形例のＢ−Ｂ断面図である。
【図８】サイズの小さいズボンを干したときのフック部材５周辺の拡大図である。
【発明を実施するための形態】
【００１６】  この発明の実施の形態について、図面を参照して詳細に説明する。
【００１７】  図１には、本発明の実施形態に係るズボン干し用物干しハンガー１の構成が示されている。図１に示すように、ズボン干し用物干しハンガー１は、支持部材２と、アーム部材３、４と、を備える。
【００１８】  支持部材２は、一端が外部部材と接続されている。支持部材２は、ズボン干し用物干しハンガー１全体を吊り下げ支持する。
【００１９】  第１のアーム部材としてのアーム部材３は、その中心が支持部材２と連結されている。アーム部材３は、支持部材で吊り下げ支持された状態で水平方向に延びている。
【００２０】  第２のアーム部材としてのアーム部材４も、支持部材２で吊り下げ支持された状態で水平方向に延びている。アーム部材４は、その中心が鉛直方向を軸方向とする回転軸を介してアーム部材３の中心と軸方向に連結されている。
【００２１】  アーム部材３、４の両端には、それぞれフック部材５が形成されている。各フック部材５は、アーム部材３、４の両端から下方に延びた後、両端を通る円の円周方向に折れ曲げられている。
【００２２】  また、各フック部材５の先端は、上方に折り曲げられている。
【００２３】  アーム部材４は、図２（Ａ）及び図２（Ｂ）に示すように、アーム部材３の向きと同じ向きにしても、アーム部材３と干渉することのないように、アーム部材３よりも短く形成されている。また、図２（Ｂ）に示すように、この状態で、フック部材５は、全て同じ方向を向いている。これにより、ズボン干し用物干しハンガー１は、コンパクトに収納できる構成となっている。
【００２４】  また、図３のＡ−Ａ断面図に示すように、アーム部材３、４は、支持部材２の先端に形成された回転軸６を介して互いに連結されている。この回転軸６は、アーム部材３、４の中心を貫通している。回転軸６の先端には、アーム部材３、４の落下を防止するための留め具７が設けられている。
【００２５】  次に、本実施形態に係るズボン干し用物干しハンガー１の動作について説明する。
【００２６】  図４及び図５（Ａ）には、サイズの大きいズボン１０をズボン干し用物干しハンガー１に干したときの様子が示されている。図４に示すように、サイズの大きいズボン１０を干す場合には、アーム部材３に対してアーム部材４を図２（Ａ）に示す状態から大きく回転させた状態とする。そして、各フック部材５にベルト通し１１を通して、ズボン１０を干す。
【００２７】  また、図５（Ｂ）には、サイズの小さいズボン１２をズボン干し用物干しハンガー１に干したときの上面図が示されている。図５（Ｂ）に示すように、サイズの小さいズボン１２を干す場合には、アーム部材３とアーム部材４を図２（Ａ）に示す状態から小さく回転させた状態とする。そして、各フック部材５にベルト通し１１を通して、ズボン１２を干す。
【００２８】  図６には、他の実施形態に係るズボン干し用物干しハンガー１が示されている。図６に示すように、このズボン干し用物干しハンガー１は、フック部材５の構成が、図１のものと異なる。フック部材５は、支持部材２で吊り下げ支持された状態で、アーム部３、４の両端に対して鉛直軸方向回りに回転可能に連結されている。
【００２９】  各フック部材５は、３６０度回転可能である。これによりフック部材５を内側に折り畳むことができるので、コンパクトな収納が可能となる。
【００３０】  なお、アーム部材３とアーム部材４との間には、アーム部材４の両端に接続されたフック部材５を円滑に回転させるべく、アーム部材４の両端に接続されたフック部材５の頭部がアーム部材３と接触することのないように、スペーサ１３が挿入されている。
【００３１】  なお、図７のＢ−Ｂ断面図に示すように、アーム部材３、４は、支持部材２の先端に形成された回転軸６を介して互いに連結されている。この回転軸６は、アーム部材３、４の中心を貫通している。回転軸６の先端には、アーム部材３、４の落下を防止するための留め具７が設けられている。この点は、図１のものと同じである。
【００３２】  図１、図６に示すズボン干し用物干しハンガー１は、アーム部材３、４の両端に、フック部材５が設けられている点で共通する。図６に示すズボン干し用物干しハンガー１も、アーム部材の両端から下方に延びており、折り曲げ方向を、各両端を通る円の円周方向とすることができる。この状態で、フック部材５をズボン１０、１２のズボン通し１１に引っかけて吊せば、図４及び図５（Ａ）及び図５（Ｂ）と同じように、ズボン１０、１２を干すことができる。
【００３３】  図８には、図６のズボン干し用物干しハンガー１に図５（Ｂ）に示すサイズの小さいズボン１２を干したときのフック部材５周辺の拡大図が示されている。図８に示すように、サイズの小さいズボン１２を干したときにも、フック１５を回転することによって、ズボン１２のベルト通し１１を引っ張らなくなるようにすることができる。この結果、ベルト通し１１に過度な負荷を与えないような形で、ズボン１２を干すことが可能となる。
【００３４】  以上詳細に説明したように、本実施形態によれば、水平面内で互いに回転可能なアーム部材３、４の両端に形成されたフック部材５にズボン１０、１２のベルト通し１１を引っかけて吊した状態でズボン１０、１２を干すことができるため、ズボン１０、１２内部の風通しを良くして、ズボン１０、１２を乾き易くすることができる。
【００３５】  また、本実施形態によれば、アーム部材３、４の向きを調整して、様々なサイズのズボンを風通し良く干すことができる。
【００３６】  また、本実施形態によれば、ズボン１０、１２のベルト通し１１をフック部材５に引っかけることによりズボン１０、１２を干しているので、落下のおそれはないうえ、ズボン１０、１２を干すときの手間もかからない。
【００３７】  また、本実施形態によれば、干すときにズボン１０、１２を裏返す必要もない。
【００３８】  なお、本実施形態では、支持部材２として、先端が湾曲したフック形状のものを採用しているが、本発明はこれには限られず、バネで付勢された２つの部材が、物干し竿を挟みこむようにして、全体を支持するタイプのものであってもよい。
【００３９】  また、図６に示すズボン干し用物干しハンガー１では、フック部材５を回転可能としているので、コンパクトに収納することができるうえ、サイズの小さいズボン１２を干したときに、ズボン１２のベルト通し１１に過度な負荷をかけないような状態で、ズボン１２を干すことができる。
【００４０】  本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００４１】  本発明は、ズボンを干すズボン干し用物干しハンガーとして用いられるのに好適である。
【符号の説明】
【００４２】１  ズボン干し用物干しハンガー
２  支持部材
３  アーム部材
４  アーム部材
５  フック部材
１０  ズボン
１１  ベルト通し
１２  ズボン
１３  スペーサ
【図１】
0005130427.tif 000002
【図２】
0005130427.tif 000003
【図３】
0005130427.tif 000004
【図４】
0005130427.tif 000005
【図５】
0005130427.tif 000006
【図６】
0005130427.tif 000007
【図７】
0005130427.tif 000008
【図８】
0005130427.tif 000009